(57)【特許請求の範囲】
【請求項１】
記録媒体から情報を再生する情報再生装置であって、
前記記録媒体には互いに隣接するランド及びグルーブが形成され、前記ランドと前記グルーブとにはそれぞれ当該記録媒体の円周方向にアドレス領域が設けられ、隣接する前記ランド内のアドレス領域と前記グルーブ内のアドレス領域とは円周方向にずれた位置に設けられ、前記アドレス領域にはそれぞれ同期引き込みパターンと、データの先頭箇所を示すアドレスマークと、トラックを識別するトラック識別信号と、アドレス信号とが記録されており、
当該情報再生装置は、
前記記録媒体と相対的に回転移動し、相対的に回転する前記記録媒体の前記ランド又は前記グルーブを走査することにより前記記録媒体に記録された情報を読み出す情報読み出し手段と、
前記情報読み出し手段により読み出された情報に含まれる前記ランドまたは前記グルーブ内のアドレス領域内の信号を検出し、クロックを再生する、アドレス領域内信号検出手段と、
前記検出されたアドレス領域内信号内のアドレスマークを検出したときアドレスマーク検出信号を出力するアドレスマーク検出回路と、
アドレスデータＯＫ信号を開始信号として前記クロックを計数するランド部タイマおよびグルーブ部タイマと、トラック選択信号に基づいて前記ランド部タイマの計数出力信号または前記グルーブ部タイマの計数出力信号を選択してマスク信号として出力する選択回路とを有する、マスク信号生成回路と、
前記アドレスマーク検出回路から出力されるアドレスマーク検出信号と、前記マスク信号生成回路から出力される、活性レベルまたは不活性レベルを示すマスク信号との論理積を演算して同期検出パルスを生成するＡＮＤ回路と、
前記ＡＮＤ回路から出力される前記同期検出パルスに基づいて、前記アドレス領域内信号検出手段において前記検出されたアドレス領域内信号内のアドレス信号をデコードして、アドレス位置パルスとアドレスデータとを出力する、アドレスデータデコード回路と、
前記アドレスデータデコード回路から出力されたアドレスデータがエラーであるか否かを検出して、アドレスにエラーがなければ前記アドレスデータＯＫ信号を前記マスク信号生成回路に出力する、アドレスデータエラー検出回路と、
を有し、
前記マスク信号生成回路は、前記ランド部タイマおよびグルーブ部タイマと、前記選択回路の動作により、
前記情報読み出し手段によって早く検出される位置にあるアドレス領域内信号については前記アドレスデータＯＫ信号が供給された後、残余のアドレス領域を走査する期間不活性レベルであり、
前記情報読み出し手段によって遅く検出される位置にあるアドレス領域内信号については前記アドレスデータＯＫ信号が供給された後、次のアドレス領域の前記早く検出される位置を走査するタイミングまで不活性レベルである、
マスク信号を出力する、
情報再生装置。
【発明の詳細な説明】
【０００１】
【発明の属する技術分野】
本発明は情報を記録する記録媒体に記録された情報を再生する情報再生装置に関するものである。
【０００２】
【従来の技術】
従来より、光磁気方式によりディスクへ情報を記録すると共に、該記録された情報を再生する技術が開発されてきているが、扱われる情報量の増大に伴い、ディスク容量の増加が求められている。ここで、該光磁気ディスクの大きさ自体は、取り扱いの容易さ等を考慮して小さくすることが要求されるため、該光磁気ディスクに記録される情報が高密度化されてきている。そして、光磁気ディスクを高密度化する手法の一つとして、トラック幅を狭くする方法がある。
しかしながら、このような方法によれば、隣接するトラックの間隔（トラックピッチ）が狭くなることによって、隣接するトラックに記録されたアドレス信号がクロストークとして検知されやすくなるという問題がある。
【０００３】
すなわち、トラックピッチが狭いことに起因して、ピックアップ３が本来のアドレス信号とは違うアドレスを読んでしまい、正しいアドレスが検出できない恐れがある。そして、このように正しいアドレスが検出できない場合には、該光磁気ディスクの中の然るべき位置において情報の記録及び再生ができないことになる。
【０００４】
また、隣接するトラックに記録されたアドレスに含まれる同期信号が検出されると、該光磁気ディスクを駆動するディスクドライブ装置に備えられたアドレスデコード回路が不必要に動作してしまい、あたかもアドレスの読み出しでエラーが発生したときと同様に動作してしまうという問題がある。なお、該光磁気ディスクに記録された情報を再生する上記ディスクドライブ装置に外乱等が加わり、ピックアップがトラック上を正確に走査しにくくなる場合には、上記のような問題が顕著に生じることになる。
【０００５】
【発明が解決しようとする課題】
本発明は、上記のような問題を解消するためになされたもので、精度の高い情報の再生を実現し得る情報再生装置を提供することを目的とする。
【０００６】
【課題を解決するための手段】
本発明によれば、記録媒体から情報を再生する情報再生装置であって、
前記記録媒体には互いに隣接するランド及びグルーブが形成され、前記ランドと前記グルーブとにはそれぞれ当該記録媒体の円周方向にアドレス領域が設けられ、隣接する前記ランド内のアドレス領域と前記グルーブ内のアドレス領域とは円周方向にずれた位置に設けられ、前記アドレス領域にはそれぞれ同期引き込みパターンと、データの先頭箇所を示すアドレスマークと、トラックを識別するトラック識別信号と、アドレス信号とが記録されており、
当該情報再生装置は、
前記記録媒体と相対的に回転移動し、相対的に回転する前記記録媒体の前記ランド又は前記グルーブを走査することにより前記記録媒体に記録された情報を読み出す情報読み出し手段と、
前記情報読み出し手段により読み出された情報に含まれる前記ランドまたは前記グルーブ内のアドレス領域内の信号を検出し、クロックを再生する、アドレス領域内信号検出手段と、
前記検出されたアドレス領域内信号内のアドレスマークを検出したときアドレスマーク検出信号を出力するアドレスマーク検出回路と、
アドレスデータＯＫ信号を開始信号として前記クロックを計数するランド部タイマおよびグルーブ部タイマと、トラック選択信号に基づいて前記ランド部タイマの計数出力信号または前記グルーブ部タイマの計数出力信号を選択してマスク信号として出力する選択回路とを有する、マスク信号生成回路と、
前記アドレスマーク検出回路から出力されるアドレスマーク検出信号と、前記マスク信号生成回路から出力される、活性レベルまたは不活性レベルを示すマスク信号との論理積を演算して同期検出パルスを生成するＡＮＤ回路と、
前記ＡＮＤ回路から出力される前記同期検出パルスに基づいて、前記アドレス領域内信号検出手段において前記検出されたアドレス領域内信号内のアドレス信号をデコードして、アドレス位置パルスとアドレスデータとを出力する、アドレスデータデコード回路と、
前記アドレスデータデコード回路から出力されたアドレスデータがエラーであるか否かを検出して、アドレスにエラーがなければ前記アドレスデータＯＫ信号を前記マスク信号生成回路に出力する、アドレスデータエラー検出回路と、
を有し、
前記マスク信号生成回路は、前記ランド部タイマおよびグルーブ部タイマと、前記選択回路の動作により、前記情報読み出し手段によって早く検出される位置にあるアドレス領域内信号については前記アドレスデータＯＫ信号が供給された後、残余のアドレス領域を走査する期間不活性レベルであり、前記情報読み出し手段によって遅く検出される位置にあるアドレス領域内信号については前記アドレスデータＯＫ信号が供給された後、次のアドレス領域の前記早く検出される位置を走査するタイミングまで不活性レベルである、マスク信号を出力する、
情報再生装置が提供される。
【０００７】
このような手段によれば、クロストークにより生成された検出信号をマスク手段によって確実に排除しつつ、同期検出信号を生成することができる。
【０００９】
【発明の実施の形態】
以下において、本発明の実施の形態を図面を参照しつつ詳しく説明する。なお、図中同一符号は同一または相当部分を示す。
【００１０】
図１は、本発明の実施の形態に係る光磁気ディスク１の構成を説明する図である。ここで、図１（Ａ）は光磁気ディスク１の形状を示し、図１（Ｂ）は図１（Ａ）に示された光磁気ディスク１に形成されたトラックの構成を示し、図１（Ｃ）は図１（Ｂ）に示されたトラックに記録されたアドレスの構成を示し、図１（Ｄ）は図１（Ｃ）に示されたアドレスを構成する物理的なビットアドレスを示し、図１（Ｅ）は図１（Ｄ）に示されたビットアドレスから再生される信号の波形をそれぞれ示す。
【００１１】
図１（Ｂ）に示されるように、本発明の実施の形態に係る光磁気ディスク１は、案内溝による溝（グルーブ）と、該溝間に形成される部分（ランド）との両方に情報が記録されるランド／グルーブディスクとされる。そして、ランド及びグルーブからなるトラックのアドレス領域にはアドレス情報が記録され、記録領域（データ領域）にはデータが記録される。
より具体的には、上記アドレス領域におけるランドにはランドアドレスＬＡ１１，ＬＡ１２が記録され、該ランドの両側において隣接するグルーブにおいては、ランドアドレスＬＡ１１に対して円周方向の同じ向きにずれた位置に、グルーブアドレスＧＡ０１，ＧＡ１１が記録され、ランドアドレスＬＡ１２に対して円周方向の同じ向きにずれた位置に、グルーブアドレスＧＡ０２，ＧＡ１２が記録される。
一方、データ領域におけるランドにはランドデータＬＤ１１，ＬＤ１２が記録される。また、ランドデータＬＤ１１が記録されたランドの両側で隣接するグルーブにはグルーブデータＧＤ０１，ＧＤ１１が記録され、ランドデータＬＤ１２が記録されたランドの両側で隣接するグルーブにはグルーブデータＧＤ０２，ＧＤ１２が記録される。
【００１２】
ここで、上記ランドアドレスＬＡ１１及びグルーブアドレスＧＡ１１は同様な構成を有する。すなわち、これらランドアドレスＬＡ１１及びグルーブアドレスＧＡ１１には、図２（Ｃ）に示されるように、１６ビットからなる同期をとるためのＰＬＬ引き込みパターン（ＶＦＯ）と、データの先頭箇所を示す３ビットからなるアドレスマーク（ＡＭ）信号、トラックを識別するための１ビットからなるトラック識別信号、データの所在を示す２４ビットからなるアドレス信号、及び送信されたデータの正確性を担保するための１６ビットからなるエラー検出信号（ＣＲＣ）が、この順に記録される。
【００１３】
そして、上記のＶＦＯとアドレスマーク信号及びトラック識別信号は、図１（Ｄ）に示されるように、ピット４０の有無に対応した１又は０のデータからなり、例えばランドアドレスにおけるトラック識別信号として０、グルーブアドレスにおけるトラック識別信号として１が割り当てられる。
【００１４】
なお、このトラック識別信号はアドレスデータの一部として、後述する図２に示されたコントローラ８へ供給され、ピックアップ３がコントローラ８により指示されたトラックを走査しているか否かが確認される。
【００１５】
一方、上記信号について採用される変調方式は、１ビットの情報を２ビットの情報に変換するバイフェーズ変調とされ、１ビットの情報が２チャンネルビットに変換される。ここで該バイフェーズ変調は、以下の表１に示されるテーブルに従って情報を変調するものである。
【００１６】
【表１】
0003858623.tif 000002
【００１７】
すなわち、表１に示されるように、アドレスデータは一つ前の変調データに応じて変調され、例えばアドレスデータが０である時、一つ前の変調データが０であるときには変調データが（１１）、一つ前の変調データが１であるときには変調データが（００）とされる。また、アドレスデータが１である時、一つ前の変調データが０であるときには変調データが（１０）、一つ前の変調データが１であるときには変調データが（０１）とされる。なお、復調においては、変調データが（００）又は（１１）である場合には元のアドレスデータが０、変調データが（１０）又は（０１）である場合には元のアドレスデータが１とされる。
【００１８】
また、このような変調方式における変調データのパターンでは、０あるいは１が最大２回しか連続しないため、アドレスマーク（ＡＭ）信号として例えば（１１１０００）といった１及び０が３回連続するパターンが使用される。
【００１９】
ここで、上記バイフェーズ変調方式による再生信号は、図１（Ｅ）に示されるように、上記の変調データ１に対応してハイレベル（Ｈ）を有し、変調データ０に対応してロウレベル（Ｌ）を有するパルス波とされる。
【００２０】
次に、本発明の実施の形態に係るディスクドライブ装置について説明する。
図２は、該ディスクドライブ装置の全体構成を示すブロック図である。図２に示されるように、光磁気ディスク１が装着される本実施の形態に係るディスクドライブ装置は、スピンドルサーボ回路２とピックアップ３、サーボ回路４、外部磁界発生用コイル５、レーザーパワーコントロール回路６、アドレス信号復調回路７、コントローラ８、ＭＯ信号復調回路９、変調回路１０、及びマグネットドライブ回路１１を備えるものである。
ここで、サーボ回路４とレーザーパワーコントロール回路６、及びアドレス信号復調回路７はコントローラ８に接続され、ピックアップ３はサーボ回路４とレーザーパワーコントロール回路６に接続される。また、アドレス信号復調回路７とＭＯ信号復調回路９は、ピックアップ３に接続される。また、マグネットドライブ回路１１は変調回路１０に接続され、外部磁界発生用コイル５はマグネットドライブ回路１１に接続される。
以下において、上記のような構成を有する本実施の形態に係るディスクドライブ装置の動作について説明する。スピンドルサーボ回路２は装着された光磁気ディスク１を規定の回転数で回転させ、ピックアップ３はサーボ回路４による制御の下、レーザビームを光磁気ディスク１の所定の位置に出射する。ここで、該レーザビームの強度は、レーザーパワーコントロール回路６により制御される。そして、このレーザビームの延長線上には、マグネットドライブ回路１１に駆動される外部磁界発生用コイル５が配置される。
また、上記ピックアップ３は、光磁気ディスク１に凹凸のピットによって記録されているアドレス情報を光強度信号（PIT RF）として読み出し、該信号をアドレス信号復調回路７に入力する。ここで、アドレス信号復調回路７には、読み出し対象とするアドレス情報が記録されたトラックを特定する一ビットのトラック選択信号がコントローラ８から供給され、該トラックに隣接するトラックに記録された情報のクロストークが回避される。そして、アドレス信号復調回路７は、光磁気ディスク１に記録されたセクタアドレス情報等を復号して、アドレス位置パルスとアドレスデータとをコントローラ８に供給する。これにより、コントローラ８は、ピックアップ３が光磁気ディスク１の所望の位置に移動するようサーボ回路４を制御する。
一方、記録データは最初に変調回路１０に供給されるが、変調回路１０では例えばＤＶＤで用いられているようなＥＦＭ（Eight to Fourteen Modulation）プラス変換が施される。そして、変調されたデータは、マグネットドライブ回路１１に入力され、外部磁界発生用コイル５は該変調データに応じてプラスあるいはマイナスの極性を有する記録磁界を発生させる。このとき同時に、コントローラ８は、ピックアップ３から出射されるレーザーが情報記録に最適な強度を有するよう、レーザーパワーコントロール回路６に対し出射強度を設定する。これにより、上記の記録磁界（外部磁界）の極性に応じて、情報が光磁気ディスク１に記録される。
一方、上記のように記録された情報を該光磁気ディスク１から読み出す（再生する）場合には、アドレス信号復調回路７から供給されるアドレスデータをもとに、コントローラ８はピックアップ３を所望の位置に移動させ、読み出し対象とするアドレスを有する光磁気信号（MO RF信号）を再生する。そして、再生されたMO RF信号はMO信号復調回路９によって復調され、再生データが生成される。
以上が、図２に示されたディスクドライブ装置による情報の記録及び再生動作であるが、光磁気ディスク１に対して情報を記録し、あるいは再生する位置は、予め光磁気ディスク１に記録されたアドレス情報を基に決定される。
図３は、図２に示されたアドレス信号復調回路７の構成を示すブロック図である。図３に示されるように、アドレス信号復調回路７は、２値化回路１２とアドレスマーク（ＡＭ）検出回路１３、マスク信号生成回路１５、ＡＮＤ回路１７、アドレスデータデコード回路１９、及びアドレスデータエラー検出回路２１とを含む。
ここで、アドレスマーク（ＡＭ）検出回路１３とマスク信号生成回路１５及びアドレスデータデコード回路１９は２値化回路１２に接続され、ＡＮＤ回路１７はアドレスマーク（ＡＭ）検出回路１３及びマスク信号生成回路１５に接続される。また、アドレスデータエラー検出回路２１はアドレスデータデコード回路１９に接続され、マスク信号生成回路１５はさらにアドレスデータエラー検出回路２１に接続される。
【００２１】
以下において、図３に示されたアドレス信号復調回路７によるアドレス信号の復調動作を説明する。ピックアップ３によって光磁気ディスク１から再生された光強度信号は２値化回路１２に供給され、この２値化回路１２は該光強度信号に基づいて２値化データとクロック信号ＣＫを生成する。そして、この２値化データはアドレスマーク検出回路１３とマスク信号生成回路１５及びアドレスデータデコード回路１９へ供給され、上記クロック信号ＣＫはアドレスマーク検出回路１３とアドレスデータデコード回路１９に供給される。
【００２２】
また、アドレスマーク検出回路１３は、2値化回路１２から供給された２値化データの中に上記アドレスマーク信号のパターンを検出した場合には、アドレスマーク（ＡＭ）検出パルスを生成し出力する。そして、アドレスデータデコード回路１９は、該ＡＭ検出パルスを用いて2値化回路１２により生成された2値化データを復調し、アドレス位置パルスとアドレスデータを生成し、コントローラ８へ供給する。なお、アドレスデータエラー検出回路２１は、アドレスデータデコード回路１９により生成されたアドレスデータについてＣＲＣチェックを行う。
【００２３】
ここで、コントローラ８は、ピックアップ３が走査している領域がランドあるかグルーブであるかに応じて、０又は１の信号をトラック選択信号としてマスク信号生成回路１５へ供給する。そして、マスク信号生成回路１５は、供給されたアドレス選択信号に応じて異なる動作を実行する。
【００２４】
すなわち、ピックアップ３が光磁気ディスク１のランドを走査しているときは、マスク信号生成回路１５はハイレベルのマスク信号を生成してＡＮＤ回路１７へ供給する。従って、この場合にはＡＮＤ回路１７はＡＭ検出回路１３から出力されたＡＭ検出パルスをそのまま同期検出パルスとしてアドレスデータデコード回路１９へ供給することになる。これより、アドレスデータデコード回路１９はＡＮＤ回路１７から供給された同期検出パルスに応じてアドレスデータをデコードする。一方、アドレスデータエラー検出回路２１はＣＲＣチェックにおいてエラーを検出しない場合には、アドレスデータＯＫパルスを生成してマスク信号生成回路１５へ供給する。
【００２５】
ところで、図１（Ｂ）に示されるように、アドレス領域におけるランドでは、該アドレス領域の前半にランドアドレスが記録されている。従って、ピックアップ３がランドを走査する場合には、マスク信号生成回路１５はアドレスデータＯＫパルスが供給された後に、残余のアドレス領域でマスク信号をロウレベル（Ｌ）とする。このとき、ＡＮＤ回路１７は不活性化され、アドレスデータデコード回路１９への同期検出パルスの供給が停止されるため、クロストークにより漏れ込んでくるグルーブアドレスに基づいたアドレスマークの誤検出を回避することができる。
【００２６】
一方、ピックアップ３がグルーブを走査する場合には、初期状態においてマスク信号がハイレベルとされ、ＡＭ検出回路１３から出力されたＡＭ検出パルスがそのまま同期検出パルスとしてアドレスデータデコード回路１９へ供給される。そして、アドレスデータデコード回路１９はＡＮＤ回路１７から供給された同期検出パルスに応じてアドレスデータをデコードすると共に、アドレスデータエラー検出回路２１はＣＲＣチェックにおいてエラーを検出しない場合に、アドレスデータＯＫパルスを生成してマスク信号生成回路１５へ供給する。
【００２７】
ところで、図１（Ｂ）に示されるように、アドレス領域におけるグルーブでは、該アドレス領域の後半にグルーブアドレスが記録されている。従って、ピックアップ３がグルーブを走査する場合には、マスク信号生成回路１５はアドレスデータＯＫパルスが供給された後、次のアドレス領域の前半部を走査するタイミングまでマスク信号をロウレベル（Ｌ）とする。このとき、ＡＮＤ回路１７は不活性化され、アドレスデータデコード回路１９への同期検出パルスの供給が停止されるため、クロストークにより漏れ込んでくるランドアドレスに基づいたアドレスマークの誤検出を回避することができる。
【００２８】
図４は、図３に示されたＡＭ検出回路１３とマスク信号生成回路１５の構成を示す図である。図４に示されるように、ＡＭ検出回路１３はＡＭデコード回路２３と、全体として６ビットの遅延回路を構成する複数のディレイフリップフロップ２５とを含み、マスク信号生成回路１５はＧＡ部タイマ２７とＬＡ部タイマ２９及び選択回路３１を含む。
【００２９】
ここで、複数のディレイフリップフロップ２５はシリアルに接続され、２値化回路１２から２値化データが供給される。また、各ディレイフリップフロップ２５のクロック端子には２値化回路１２からクロック信号ＣＫが供給される。また、ＡＭデコード回路２３は、上記複数のディレイフリップフロップ２５の各出力端に接続される。
【００３０】
一方、マスク信号生成回路１５に含まれたＧＡ部タイマ２７とＬＡ部タイマ２９には２値化回路１２からクロック信号ＣＫが供給されると共に、アドレスデータエラー検出回路２１からアドレスデータＯＫパルスが供給される。また、選択回路３１はＧＡ部タイマ２７とＬＡ部タイマ２９に接続され、コントローラ８からトラック選択信号が供給される。そして、ＡＮＤ回路１７はＡＭデコード回路２３と選択回路３１に接続される。
【００３１】
以下において、図４に示されたＡＭ検出回路１３及びマスク信号生成回路１５の動作を説明する。ＡＭ検出回路１３に含まれた六つのディレイフリップフロップ２５はそれぞれ、供給されるクロック信号ＣＫに応じて２値化データを次段のディレイフリップフロップ２５へ転送する。そして、ＡＭデコード回路２３は、上記六つのディレイフリップフロップ２５から供給された６ビットの情報においてアドレスマークパターンを検出し、アドレスマーク検出パルスを生成する。
【００３２】
また、ＧＡ部タイマ２７は、ピックアップ３がランドを走査することによりランドアドレスを読み出している場合、アドレスデータＯＫパルスを受領した時点から該ランドアドレスが属するアドレス領域の後半部における走査を完了するまでの時間をカウントダウンし、該カウント開始からカウント値が０になるまでロウレベル（Ｌ）の信号を出力すると共に、該カウント値が０となった後はハイレベル（Ｈ）の信号を出力する。
また、ＬＡ部タイマ２９も同様に、ピックアップ３がグルーブを走査することによりグルーブアドレスを読み出している場合、アドレスデータＯＫパルスを受領した時点から、該グルーブアドレスに続くデータ領域の走査を完了するまでの時間をカウントダウンし、該カウント開始からカウント値が０になるまでハイレベル（Ｈ）の信号を出力すると共に、該カウント値が０となった後はアドレス領域の前半部を走査する時間だけロウレベル（Ｌ）の信号を出力する
また、ピックアップ３がランドを走査しているとき、コントローラ８からは値が０のトラック選択信号が選択回路３１へ供給され、選択回路３１は該トラック選択信号に応じてＧＡ部タイマ２７から出力された信号を選択的に出力する。一方、ピックアップ３がグルーブを走査しているとき、コントローラ８からは値が１のトラック選択信号が選択回路３１へ供給され、選択回路３１は該トラック選択信号に応じてＬＡ部タイマ２９から出力された信号を選択的に出力する。
【００３３】
以下において、図５を参照しつつ、ピックアップ３がランドを走査する場合の動作を説明する。ここで、図５（Ａ）は図１（Ｂ）と同様に光磁気ディスク１に形成されたトラックの構成を示し、図５（Ｂ）は図５（Ａ）に示されたランドをピックアップ３で走査することにより読み出される理想的なアドレスデータを示し、図５（Ｃ）は図５（Ａ）に示されたランドを走査するときに、クロストーク等に起因して品質の悪いアドレスデータが読み出された場合を示す。また、図５（Ｄ）はアドレスマークの誤検出により生成されるＡＭ検出パルスを示し、図５（Ｅ）はマスク信号生成回路１５により生成されるマスク信号を示す。さらに、図５（Ｆ）はＡＮＤ回路１７から出力される同期検出パルスを示す。
【００３４】
ピックアップ３が所望のランドを走査する場合、該ランドに隣接するグルーブからグルーブアドレスを読み出してしまうクロストークが生じると、図５（Ｃ）に示されるように、本来必要とされるランドアドレスＬＡ１１の他にグルーブアドレスＧＡ０１又はグルーブアドレスＧＡ１１まで読み出されてしまう。
【００３５】
このとき、ＡＭデコード回路２３は、ランドアドレスＬＡ１１に含まれたアドレスマークを検出して図５（Ｄ）に示されたＡＭ検出パルスＰＬを生成し出力すると共に、グルーブアドレスＧＡ０１又はグルーブアドレスＧＡ１１に含まれたアドレスマークを検出することによってＡＭ検出パルスＰＧを生成し出力する。従って、上記のようにピックアップ３がランドを走査する場合に、アドレスデータデコード回路１９がＡＭ検出パルスＰＧに応じてアドレスデータをデコードすれば、誤動作により正しいアドレスデータを得ることができないことになる。
【００３６】
従って、本実施の形態に係るディスクドライブ装置では、マスク信号生成回路１５により図５（Ｅ）に示されるマスク信号を生成し、該マスク信号とＡＭ検出パルスとの論理積をＡＮＤ回路１７により演算することによって、本来必要とされるＡＭ検出パルスＰＬだけが同期検出パルスとして生成される。このようにして、ピックアップ３がランドを走査している場合には、たとえクロストークが生じた場合においても、ランドアドレスＬＡ１１，ＬＡ１２に対応するＡＭ検出パルスＰＬのみを同期検出パルスとして使用することができる。
【００３７】
次に、図６を参照しつつ、ピックアップ３がグルーブを走査する場合の動作を説明する。ここで、図６（Ａ）は図５（Ａ）と同様に光磁気ディスク１に形成されたトラックの構成を示し、図６（Ｂ）は図６（Ａ）に示されたグルーブをピックアップ３で走査することにより読み出される理想的なアドレスデータを示し、図６（Ｃ）は図６（Ａ）に示されたグルーブを走査するときに、クロストーク等に起因して品質の悪いアドレスデータが読み出された場合を示す。また、図６（Ｄ）はアドレスマークの誤検出により生成されるＡＭ検出パルスを示し、図６（Ｅ）はマスク信号生成回路１５により生成されるマスク信号を示す。さらに、図６（Ｆ）はＡＮＤ回路１７から出力される同期検出パルスを示す。
【００３８】
ピックアップ３が所望のグルーブを走査する場合、該グルーブに隣接するランドからランドアドレスを読み出してしまうクロストークが生じると、図６（Ｃ）に示されるように、本来必要とされるグルーブアドレスＧＡ０１（又はグルーブアドレスＧＡ１１）の他にランドアドレスＬＡ１１まで読み出されてしまう。
【００３９】
このとき、ＡＭデコード回路２３は、グルーブアドレスＧＡ０１（又はグルーブアドレスＧＡ１１）に含まれたアドレスマークを検出して図５（Ｄ）に示されたＡＭ検出パルスＰＧを生成し出力すると共に、ランドアドレスＬＡ１１に含まれたアドレスマークを検出することによってＡＭ検出パルスＰＬを生成し出力する。従って、上記のようにピックアップ３がグルーブを走査する場合に、アドレスデータデコード回路１９がＡＭ検出パルスＰＬに応じてアドレスデータをデコードすれば、誤動作により正しいアドレスデータを得ることができないことになる。
【００４０】
従って、上記のように、本実施の形態に係るディスクドライブ装置では、マスク信号生成回路１５により図６（Ｅ）に示されるマスク信号を生成し、該マスク信号とＡＭ検出パルスとの論理積をＡＮＤ回路１７により演算することによって、本来必要とされるＡＭ検出パルスＰＧだけが同期検出パルスとして生成される。このようにして、ピックアップ３がグルーブを走査している場合には、たとえクロストークが生じた場合においても、グルーブアドレスＧＡ０１（又はグルーブアドレスＧＡ１１）に対応するＡＭ検出パルスＰＧのみを同期検出パルスとして使用することができる。
【００４１】
以上のように、本実施の形態に係るディスクドライブ装置は、ピックアップ３が光磁気ディスク１のランドを走査する場合はランドアドレスＬＡ１１，ＬＡ１２のみを読み出すため、ピックアップ３がグルーブアドレスＧＡ０１，ＧＡ１１，ＧＡ０２，ＧＡ１２の記録された領域に挟まれたランドを走査する期間においてＡＭ検出パルスをマスクする。また同様に、ピックアップ３が光磁気ディスク１のグルーブを走査する場合はグルーブアドレスＧＡ０１，ＧＡ０２（又はグルーブアドレスＧＡ１１，ＧＡ１２）のみを読み出すため、ピックアップ３がランドアドレスＬＡ１１，ＬＡ１２の記録された領域に隣接したグルーブを走査する期間においてＡＭ検出パルスをマスクする。
従って、本発明の実施の形態に係るディスクドライブ装置によれば、簡易な構成によりアドレス情報の読み出しにおけるクロストークの影響を回避することができ、正確なアドレスデータの再生を実現して情報読み出しにおける動作の信頼性を高めることができる。
また、このことと相俟って、図１に示された本発明の実施の形態に係る光磁気ディスク１によれば、隣接するトラックの間隔を狭めることができるため、トラック密度を高めて高密度に情報を記録することができる。
なお、上記によれば、アドレスマーク（ＡＭ）の検出に際して生じ得るクロストークに起因した誤動作が回避されるが、アドレスマークの検出だけではなく、隣接するトラック間におけるクロストークが問題となる領域をピックアップ３が走査するタイミングにおいて、上記のようなマスク信号を生成して不要な情報を除くことにより、正確に所望の信号を再生することができる。
【００４２】
【発明の効果】
本発明に係る情報再生装置によれば、クロストークにより生成された検出信号をマスク手段によって確実に排除しつつ、同期検出信号を生成することができるため、ランドアドレス及びグルーブアドレスを精度よく再生することにより、情報再生の精度を高めることができる。
【００４３】
ここで、ランドアドレス及びグルーブアドレスに含まれるエラー部分を検出するエラー検出手段をさらに備え、マスク手段は所定時間を計時して所定の論理レベルを有するマスク信号を生成するマスク信号生成手段と、マスク信号を使用して同期検出信号を生成する演算手段とを含むものとすれば、簡易な構成により、アドレス読み出しにおけるクロストークの影響を確実に回避することができるため、回路規模やコストを大幅に増大させることなく情報再生の精度を高めることができる。
【図面の簡単な説明】
【図１】本発明の実施の形態に係る光磁気ディスクの構成を説明する図である。
【図２】本発明の実施の形態に係るディスクドライブ装置の全体構成を示すブロック図である。
【図３】図２に示されたアドレス信号復調回路の構成を示す図である。
【図４】図３に示されたアドレスマーク検出回路とマスク信号生成回路の構成を示す図である。
【図５】ピックアップがランドを走査する場合における図４に示された回路の動作を説明する図である。
【図６】ピックアップがグルーブを走査する場合における図４に示された回路の動作を説明する図である。
【符号の説明】
１  光磁気ディスク、２  スピンドルサーボ回路、３  ピックアップ、４  サーボ回路、５  外部磁界発生用コイル、６  レーザーパワーコントロール回路、７アドレス信号復調回路、８  コントローラ、９  ＭＯ信号復調回路、１０  変調回路、１１  マグネットドライブ回路、１２  ２値化回路、１３  アドレスマーク（ＡＭ）検出回路、１５  マスク信号生成回路、１７  ＡＮＤ回路、１９  アドレスデータデコード回路、２１  アドレスデータエラー検出回路、２３  アドレスマーク（ＡＭ）デコード回路、２５  ディレイフリップフロップ、２７  ＧＡ部タイマ、２９  ＬＡ部タイマ、３１  選択回路、４０  ピット。
【図１】
0003858623.tif 000003
【図２】
0003858623.tif 000004
【図３】
0003858623.tif 000005
【図４】
0003858623.tif 000006
【図５】
0003858623.tif 000007
【図６】
0003858623.tif 000008